(57)【要約】【課題】リンク枠体内に挿通したケーブル類をケーブル固定端とケーブル移動端との間で下側リンクプレートを水平床面に直に摺接させることなく水平床面に沿って円滑に曲げ返して移動させ、シューの係止機構を簡素化するとともに保守メンテナンスの簡便な水平曲がりケーブル類保護案内装置を提供すること。【解決手段】上下に離間配置された上側リンクプレート１１０と下側リンクプレート１２０とをケーブル屈曲外周側およびケーブル屈曲内周側に配置された連結板１３０でそれぞれ架橋してなる多数のリンク枠体をケーブル長手方向にそれぞれ連結し、下側リンクプレート１２０が下側リンクプレート１２０よりも高い耐摩耗性を呈して水平床面Ｇを摺接移動するシュー１４０を備えている水平曲がりケーブル類保護案内装置１００。【選択図】図１
2011144890.tif 000002
【特許請求の範囲】
【請求項１】
上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結して前記リンク枠体内に挿通したケーブル類をケーブル固定端とケーブル移動端との間でケーブル長手方向かつ水平床面に沿って曲げ返して移動させる水平曲がりケーブル類保護案内装置において、
前記下側リンクプレートが、前記下側リンクプレートよりも高い耐摩耗性を呈して前記水平床面を摺接移動するシューを備えていることを特徴とする水平曲がりケーブル類保護案内装置。
【請求項２】
前記シューが、前記下側リンクプレートの両側から抱持状態で組付けられていることを特徴とする請求項１記載の水平曲がりケーブル類保護案内装置。
【請求項３】
前記シューが、前記下側リンクプレートと連結板との係合部に係止されていることを特徴とする請求項１または請求項２記載の水平曲がりケーブル類保護案内装置。
【発明の詳細な説明】
【技術分野】
【０００１】
本発明は、例えば、産業用機械や、車両などの移動部と静止部とを接続して電気信号の伝達や電力の供給を行う電気ケーブルや油圧や空気圧を供給するホース等の可撓性ケーブル類を安全確実に保護案内するケーブル類保護案内装置であって、特に、ケーブル類をケーブル固定端とケーブル移動端との間でケーブル長手方向かつ水平床面に沿って曲げ返して移動させる水平曲がりケーブル類保護案内装置に関する。
【背景技術】
【０００２】
従来のケーブル類保護案内装置は、左右に離間配置される一対のリンクプレートとこのリンクプレートのケーブル屈曲外周側およびケーブル屈曲内周側にそれぞれ架橋される連結板とで構成されたリンク枠体をケーブル長手方向に屈曲半径を一定以上に規制して多数連結している。
【０００３】
そして、このようなケーブル類保護案内装置は、長い移動ストロークでケーブル長手方向に垂直面内で折り返して使用するものであって、下側に位置するリンクプレートのケーブル屈曲内周側と折り返されて上側に位置するリンクプレートのケーブル屈曲内周側が直接接触して騒音が発生したり摩耗したりすることを防止するシューをケーブル屈曲内周側に取り付けている（例えば、特許文献１参照）。
【先行技術文献】
【特許文献】
【０００４】
【特許文献１】特開２００７−１００８７号公報（特許請求の範囲、第１図）
【発明の開示】
【発明が解決しようとする課題】
【０００５】
しかしながら、特許文献１で例示される従来のケーブル保護案内装置は、ケーブル類をケーブル固定端とケーブル移動端との間でケーブル長手方向かつ水平床面に沿って曲げ返して移動させる、所謂、水平曲がりで使用すると、リンク枠体を構成する上側リンクプレートと下側リンクプレートとが上下に離間配置された状態になり、下側リンクプレートが水平床面に沿って過度に摺接するため、下側リンクプレートのプレート底面部分、連結ピン部分などに摩損傷を生じて水平床面に沿った曲げ返しによるケーブル類の移動が困難になるとともに装置自体の耐久性を著しく悪化させるという問題があった。
【０００６】
さらに、下側リンクプレートのプレート底面部分、連結ピン部分などに摩損傷を生じると、ケーブル固定端とケーブル移動端との間の移動負荷が増大したり、水平床面に沿った曲げ返し移動の際に摺動騒音が大幅に増大するという問題があるばかりでなく、装置自体の交換時にはケーブル類も取り外す必要があり、保守メンテナンスの作業負担が著しく増大するという問題があった。
【０００７】
そこで、本発明は、従来の問題を解決するものであって、すなわち、本発明の目的は、リンク枠体内に挿通したケーブル類をケーブル固定端とケーブル移動端との間で下側リンクプレートを水平床面に直に摺接させることなく水平床面に沿って円滑に曲げ返して移動させ、シューの係止機構を簡素化するとともに保守メンテナンスの簡便な水平曲がりケーブル類保護案内装置を提供することである。
【課題を解決するための手段】
【０００８】
本請求項１に係る発明は、上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結して前記リンク枠体内に挿通したケーブル類をケーブル固定端とケーブル移動端との間でケーブル長手方向かつ水平床面に沿って曲げ返して移動させる水平曲がりケーブル類保護案内装置において、前記下側リンクプレートが前記下側リンクプレートよりも高い耐摩耗性を呈して前記水平床面を摺接移動するシューを備えていることによって、上述した課題を解決するものである。
【０００９】
そして、本請求項２に係る発明は、請求項１に係る発明の構成に加えて、前記シューが前記下側リンクプレートの両側から抱持状態で組付けられていることにより、上述した課題をさらに解決するものである。
【００１０】
また、本請求項３に係る発明は、請求項１または請求項２に係る発明の構成に加えて、前記シューが前記下側リンクプレートと連結板との係合部に係止されていることにより、上述した課題をさらに解決するものである。
【発明の効果】
【００１１】
本発明の水平曲がりケーブル類保護案内装置は、上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結したことにより、リンク枠体内に挿通したケーブル類をケーブル固定端とケーブル移動端との間でケーブル長手方向かつ水平床面に沿って曲げ返して移動させることができるばかりでなく、以下のような特有の効果を奏することができる。
【００１２】
まず、本請求項１に係る発明によれば、下側リンクプレートが下側リンクプレートよりも高い耐摩耗性を呈して水平床面を摺接移動するシューを備えていることによって、下側リンクプレートを水平床面に直に摺接させることなく下側リンクプレートよりも高い耐摩耗性を呈するシューが水平床面を摺接するため、リンク枠体内に挿通したケーブル類をケーブル固定端とケーブル移動端との間でケーブル長手方向かつ水平床面に沿って円滑に曲げ返して移動させることができるとともにシューが摩耗してもシューのみの部品交換により保守メンテナンスを簡便に達成することができる。
【００１３】
そして、本請求項２に係る発明によれば、請求項１に係る発明が奏する効果に加えて、シューが下側リンクプレートの両側から抱持状態で組付けられていることにより、リンク枠体内に挿通したケーブル類をケーブル固定端とケーブル移動端との間で水平床面に沿って曲げ返して移動する際にリンク枠体の両外側にはみ出しているシューがリンク枠体よりも先行して水平床面内の周辺部材に摺接するため、リンク枠体と水平床面内の周辺部材との接触を回避してリンク枠体の損傷を防止することができる。
【００１４】
さらに、本請求項３に係る発明によれば、請求項１または請求項２に係る発明が奏する効果に加えて、シューが下側リンクプレートと連結板との係合部に係止されていることにより、シューが下側リンクプレートと連結板との係合部を覆って保護するため、下側リンクプレートと連結板との不用意な脱落を防止することができるとともにシューの係止機構を簡素化することができる。
【図面の簡単な説明】
【００１５】
【図１】本発明の水平曲がりケーブル類保護案内装置を示す概要図。
【図２】本発明の一実施例である水平曲がりケーブル類保護案内装置の摺接状態図。
【図３】図２のＸ−Ｘ断面図。
【図４】リンク枠体に対するシューの装着状態を示す図。
【図５】シューを備えたリンク枠体であって、（ａ）は直進状態の底面図であり、（ｂ）は水平曲がり状態の底面図。
【発明を実施するための形態】
【００１６】
本発明は、上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結してリンク枠体内に挿通したケーブル類をケーブル固定端とケーブル移動端との間でケーブル長手方向かつ水平床面に沿って曲げ返して移動させる水平曲がりケーブル類保護案内装置において、下側リンクプレートが下側リンクプレートよりも高い耐摩耗性を呈して水平床面を摺接移動するシューを備え、リンク枠体内に挿通したケーブル類をケーブル固定端とケーブル移動端との間で下側リンクプレートを水平床面に直に摺接させることなく水平床面に沿って円滑に曲げ返して移動させ、シューの係止機構を簡素化するとともに保守メンテナンスの簡便なものであれば、その具体的な実施の態様は、如何なるものであっても何ら構わない。
【００１７】
たとえば、本発明の水平曲がりケーブル類保護案内装置に用いるリンクプレートの具体的な素材は、エンジニアリング樹脂などの合成樹脂、または、アルミなどの金属のいずれであっても良く、また、リンクプレートの具体的な形状は、リンク枠体の一部を構成するとともにケーブル長手方向にそれぞれ連結してリンク枠体内に挿通したケーブル類をケーブル固定端とケーブル移動端との間でケーブル長手方向に曲げ返して移動させることが可能であれば、如何なる形状であっても何ら構わない。
【００１８】
また、本発明の水平曲がりケーブル類保護案内装置に用いるシューの具体的な素材は、下側リンクプレートよりも高い耐摩耗性と優れた自己潤滑性を発揮するエンジニアリング樹脂などの合成樹脂であれば良く、また、シューの具体的な形態は、下側リンクプレートの両側から抱持状態で組付けられて下側リンクプレートと連結板との係合部に係止される形態であれば如何なる形態であっても何ら差し支えない。
【実施例】
【００１９】
以下、本発明の一実施例である水平曲がりケーブル類保護案内装置を図１乃至図５に基づいて説明する。
図１は、本発明の一実施例である水平曲がりケーブル類保護案内装置を示す概要図であり、図２は、本発明の一実施例である水平曲がりケーブル類保護案内装置の摺接状態図であり、図３は、図２のＸ−Ｘ断面図であり、図４は、リンク枠体に対するシューの装着状態を示す図であり、図５は、シューを備えたリンク枠体であって、（ａ）は、直進状態の底面図であり、（ｂ）は、水平曲がり状態の底面図である。
【００２０】
まず、本実施例の水平曲がりケーブル類保護案内装置１００は、図１に示すように、上下に離間配置された上側リンクプレート１１０と下側リンクプレート１２０とをケーブル屈曲外周側およびケーブル屈曲内周側に配置された連結板１３０でそれぞれ架橋してなる多数のリンク枠体をケーブル長手方向にそれぞれ連結することによって、リンク枠体内に挿通したケーブル類（図示しない）をケーブル固定端（図示しない）とケーブル移動端（図示しない）との間でケーブル長手方向かつ水平床面Ｇに沿って曲げ返して移動させるようになっている。
【００２１】
そして、本実施例で用いた上側リンクプレート１１０と下側リンクプレート１２０とは、上下対称の形状を備えているが、水平曲がりケーブル類保護案内装置１００の全体的な強度を向上させるために、上側リンクプレート１１０に比べてプレート厚みのある下側リンクプレート１２０を用いても何ら構わない。
【００２２】
また、前述した上側リンクプレート１１０、下側リンクプレート１２０、連結板１３０からなるリンク枠体を構成する材質は、特に限定されるものではないが、優れた強度特性を発揮できるガラス繊維強化ポリアミド系樹脂を用いて成形加工されている。
【００２３】
次に、本実施例の水平曲がりケーブル類保護案内装置１００が最も特徴としている下側リンクプレート１２０の水平床面Ｇ側に設けたシュー１４０について、詳しく説明する。
すなわち、図２乃至図３に示すように、水平床面Ｇを摺接移動するシュー１４０は、下側リンクプレート１２０よりも高い耐摩耗性と優れた自己潤滑性を発揮するポリアミド系樹脂により成形されている。
これにより、下側リンクプレート１２０を水平床面Ｇに直に摺接させることなくシュー１４０が水平床面Ｇを摺接するようになっている。
【００２４】
そして、前述したシュー１４０は、図３乃至図５に示すように、下側リンクプレート１２０の両側から抱持状態で組付けられている。
これにより、リンク枠体内に挿通したケーブル類をケーブル固定端とケーブル移動端との間で水平床面Ｇに沿って曲げ返して移動する際に、リンク枠体の両外側にはみ出しているシュー１４０が、リンク枠体よりも先行して水平床面Ｇ内の周辺部材に摺接するようになっている。
【００２５】
さらに、前述したシュー１４０は、下側リンクプレート１２０と連結板１３０との係合部１２１に係止されている。
これにより、シュー１４０が下側リンクプレート１２０と連結板１３０との係合部１２１を覆って保護するようになっている。
【００２６】
なお、図４に示す符号１４１は、前述した下側リンクプレート１２０の両側から抱持して係止するための横長のフック部であり、符号１４２は、前述した下側リンクプレート１２０と連結板１３０との係合部１２１に係止するための突起部であり、符号１４３は、シュー１４０の摩耗状態を把握するインジケータである。
【００２７】
このようして得られた本実施例の水平曲がりケーブル類保護案内装置１００は、下側リンクプレート１２０が下側リンクプレート１２０よりも高い耐摩耗性を呈して水平床面Ｇを摺接移動するシュー１４０を備えていることによって、下側リンクプレート１２０を水平床面Ｇに直に摺接させることなくシュー１４０が水平床面Ｇを摺接するため、図５に示すように、ケーブル類をケーブル固定端とケーブル移動端との間でケーブル長手方向かつ水平床面Ｇに沿って円滑に曲げ返して移動させるとともにシュー１４０が摩耗してもこの摩耗したシュー１４０のみの部品交換により保守メンテナンスを簡便に達成することができる。
【００２８】
そして、シュー１４０のフック部１４１が下側リンクプレート１２０の両側から抱持状態で組付けられていることにより、図５に示すように、ケーブル類をケーブル固定端とケーブル移動端との間で水平床面Ｇに沿って曲げ返して移動する際にシュー１４０がリンク枠体よりも先行して水平床面Ｇ内の周辺部材に摺接するため、リンク枠体と水平床面Ｇ内の周辺部材との接触を回避してリンク枠体の損傷を防止することができるばかりでなく、シュー１４０の突起部１４２が下側リンクプレート１２０と連結板１３０との係合部１２１に係止されていることにより、下側リンクプレート１２０と連結板１３０との係合部１２１を覆って、下側リンクプレート１２０と連結板１３０との不用意な脱落を防止したり、シュー１４０の係止機構を簡素化することができるなど、その効果は甚大である。
【符号の説明】
【００２９】
１００  ・・・水平曲がりケーブル類保護案内装置
１１０  ・・・上側リンクプレート
１２０  ・・・下側リンクプレート
１２１  ・・・係合部
１３０  ・・・連結板
１４０  ・・・シュー
１４１  ・・・フック部
１４２  ・・・突起部
１４３  ・・・インジケータ
Ｇ  ・・・水平床面
【図１】
2011144890.tif 000003
【図２】
2011144890.tif 000004
【図３】
2011144890.tif 000005
【図４】
2011144890.tif 000006
【図５】
2011144890.tif 000007
【手続補正書】
【提出日】平成23年4月21日(2011.4.21)
【手続補正１】
【補正対象書類名】明細書
【補正対象項目名】全文
【補正方法】変更
【補正の内容】
【発明の詳細な説明】
【技術分野】
【０００１】
本発明は、例えば、産業用機械や、車両などの移動部と静止部とを接続して電気信号の伝達や電力の供給を行う電気ケーブルや油圧や空気圧を供給するホース等の可撓性ケーブル類を安全確実に保護案内するケーブル類保護案内装置であって、特に、ケーブル類をケーブル固定端とケーブル移動端との間でケーブル長手方向かつ水平床面に沿って曲げ返して移動させる水平曲がりケーブル類保護案内装置に関する。
【背景技術】
【０００２】
従来のケーブル類保護案内装置は、左右に離間配置される一対のリンクプレートとこのリンクプレートのケーブル屈曲外周側およびケーブル屈曲内周側にそれぞれ架橋される連結板とで構成されたリンク枠体をケーブル長手方向に屈曲半径を一定以上に規制して多数連結している。
【０００３】
そして、このようなケーブル類保護案内装置は、長い移動ストロークでケーブル長手方向に垂直面内で折り返して使用するものであって、下側に位置するリンクプレートのケーブル屈曲内周側と折り返されて上側に位置するリンクプレートのケーブル屈曲内周側が直接接触して騒音が発生したり摩耗したりすることを防止するシューをケーブル屈曲内周側に取り付けている（例えば、特許文献１参照）。
【先行技術文献】
【特許文献】
【０００４】
【特許文献１】特開２００７−１００８７号公報（特許請求の範囲、第１図）
【発明の開示】
【発明が解決しようとする課題】
【０００５】
しかしながら、特許文献１で例示される従来のケーブル保護案内装置は、ケーブル類をケーブル固定端とケーブル移動端との間でケーブル長手方向かつ水平床面に沿って曲げ返して移動させる、所謂、水平曲がりで使用すると、リンク枠体を構成する上側リンクプレートと下側リンクプレートとが上下に離間配置された状態になり、下側リンクプレートが水平床面に沿って過度に摺接するため、下側リンクプレートのプレート底面部分、連結ピン部分などに摩損傷を生じて水平床面に沿った曲げ返しによるケーブル類の移動が困難になるとともに装置自体の耐久性を著しく悪化させるという問題があった。
【０００６】
さらに、下側リンクプレートのプレート底面部分、連結ピン部分などに摩損傷を生じると、ケーブル固定端とケーブル移動端との間の移動負荷が増大したり、水平床面に沿った曲げ返し移動の際に摺動騒音が大幅に増大するという問題があるばかりでなく、装置自体の交換時にはケーブル類も取り外す必要があり、保守メンテナンスの作業負担が著しく増大するという問題があった。
【０００７】
そこで、本発明は、従来の問題を解決するものであって、すなわち、本発明の目的は、リンク枠体内に挿通したケーブル類をケーブル固定端とケーブル移動端との間で下側リンクプレートを水平床面に直に摺接させることなく水平床面に沿って円滑に曲げ返して移動させ、シューの係止機構を簡素化するとともに保守メンテナンスの簡便な水平曲がりケーブル類保護案内装置を提供することである。
【課題を解決するための手段】
【０００８】
本請求項１に係る発明は、上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結して前記リンク枠体内に挿通したケーブル類をケーブル固定端とケーブル移動端との間でケーブル長手方向かつ水平床面に沿って曲げ返して移動させる水平曲がりケーブル類保護案内装置において、前記下側リンクプレートが前記下側リンクプレートよりも高い耐摩耗性を呈して前記水平床面を摺接移動するシューを備えているとともに、前記シューが前記下側リンクプレートの両側から抱持状態で組付けられていることによって、上述した課題を解決するものである。
【０００９】
そして、本請求項２に係る発明は、上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結して前記リンク枠体内に挿通したケーブル類をケーブル固定端とケーブル移動端との間でケーブル長手方向かつ水平床面に沿って曲げ返して移動させる水平曲がりケーブル類保護案内装置において、前記下側リンクプレートが前記下側リンクプレートよりも高い耐摩耗性を呈して前記水平床面を摺接移動するシューを備えているとともに、前記シューが前記下側リンクプレートと連結板との係合部に係止されていることにより、上述した課題を解決するものである。
【発明の効果】
【００１０】
本発明の水平曲がりケーブル類保護案内装置は、上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結したことにより、リンク枠体内に挿通したケーブル類をケーブル固定端とケーブル移動端との間でケーブル長手方向かつ水平床面に沿って曲げ返して移動させることができるばかりでなく、以下のような特有の効果を奏することができる。
【００１１】
まず、本発明によれば、下側リンクプレートが下側リンクプレートよりも高い耐摩耗性を呈して水平床面を摺接移動するシューを備えていることによって、下側リンクプレートを水平床面に直に摺接させることなく下側リンクプレートよりも高い耐摩耗性を呈するシューが水平床面を摺接するため、リンク枠体内に挿通したケーブル類をケーブル固定端とケーブル移動端との間でケーブル長手方向かつ水平床面に沿って円滑に曲げ返して移動させることができるとともにシューが摩耗してもシューのみの部品交換により保守メンテナンスを簡便に達成することができる。
【００１２】
そして、本請求項１に係る発明によれば、上述した効果に加えて、シューが下側リンクプレートの両側から抱持状態で組付けられていることにより、リンク枠体内に挿通したケーブル類をケーブル固定端とケーブル移動端との間で水平床面に沿って曲げ返して移動する際にリンク枠体の両外側にはみ出しているシューがリンク枠体よりも先行して水平床面内の周辺部材に摺接するため、リンク枠体と水平床面内の周辺部材との接触を回避してリンク枠体の損傷を防止することができる。
【００１３】
また、本請求項２に係る発明によれば、上述した効果に加えて、シューが下側リンクプレートと連結板との係合部に係止されていることにより、シューが下側リンクプレートと連結板との係合部を覆って保護するため、下側リンクプレートと連結板との不用意な脱落を防止することができるとともにシューの係止機構を簡素化することができる。
【図面の簡単な説明】
【００１４】
【図１】本発明の水平曲がりケーブル類保護案内装置を示す概要図。
【図２】本発明の一実施例である水平曲がりケーブル類保護案内装置の摺接状態図。
【図３】図２のＸ−Ｘ断面図。
【図４】リンク枠体に対するシューの装着状態を示す図。
【図５】シューを備えたリンク枠体であって、（ａ）は直進状態の底面図であり、（ｂ）は水平曲がり状態の底面図。
【発明を実施するための形態】
【００１５】
本発明は、上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結してリンク枠体内に挿通したケーブル類をケーブル固定端とケーブル移動端との間でケーブル長手方向かつ水平床面に沿って曲げ返して移動させる水平曲がりケーブル類保護案内装置において、下側リンクプレートが下側リンクプレートよりも高い耐摩耗性を呈して水平床面を摺接移動するシューを備え、シューが下側リンクプレートの両側から抱持状態で組付けられていること、または、シューが下側リンクプレートと連結板との係合部に係止されていることにより、リンク枠体内に挿通したケーブル類をケーブル固定端とケーブル移動端との間で下側リンクプレートを水平床面に直に摺接させることなく水平床面に沿って円滑に曲げ返して移動させ、シューの係止機構を簡素化するとともに保守メンテナンスの簡便なものであれば、その具体的な実施の態様は、如何なるものであっても何ら構わない。
【００１６】
たとえば、本発明の水平曲がりケーブル類保護案内装置に用いるリンクプレートの具体的な素材は、エンジニアリング樹脂などの合成樹脂、または、アルミなどの金属のいずれであっても良く、また、リンクプレートの具体的な形状は、リンク枠体の一部を構成するとともにケーブル長手方向にそれぞれ連結してリンク枠体内に挿通したケーブル類をケーブル固定端とケーブル移動端との間でケーブル長手方向に曲げ返して移動させることが可能であれば、如何なる形状であっても何ら構わない。
【００１７】
また、本発明の水平曲がりケーブル類保護案内装置に用いるシューの具体的な素材は、下側リンクプレートよりも高い耐摩耗性と優れた自己潤滑性を発揮するエンジニアリング樹脂などの合成樹脂であれば良く、また、シューの具体的な形態は、下側リンクプレートの両側から抱持状態で組付けられて下側リンクプレートと連結板との係合部に係止される形態であれば如何なる形態であっても何ら差し支えない。
【実施例】
【００１８】
以下、本発明の一実施例である水平曲がりケーブル類保護案内装置を図１乃至図５に基づいて説明する。
図１は、本発明の一実施例である水平曲がりケーブル類保護案内装置を示す概要図であり、図２は、本発明の一実施例である水平曲がりケーブル類保護案内装置の摺接状態図であり、図３は、図２のＸ−Ｘ断面図であり、図４は、リンク枠体に対するシューの装着状態を示す図であり、図５は、シューを備えたリンク枠体であって、（ａ）は、直進状態の底面図であり、（ｂ）は、水平曲がり状態の底面図である。
【００１９】
まず、本実施例の水平曲がりケーブル類保護案内装置１００は、図１に示すように、上下に離間配置された上側リンクプレート１１０と下側リンクプレート１２０とをケーブル屈曲外周側およびケーブル屈曲内周側に配置された連結板１３０でそれぞれ架橋してなる多数のリンク枠体をケーブル長手方向にそれぞれ連結することによって、リンク枠体内に挿通したケーブル類（図示しない）をケーブル固定端（図示しない）とケーブル移動端（図示しない）との間でケーブル長手方向かつ水平床面Ｇに沿って曲げ返して移動させるようになっている。
【００２０】
そして、本実施例で用いた上側リンクプレート１１０と下側リンクプレート１２０とは、上下対称の形状を備えているが、水平曲がりケーブル類保護案内装置１００の全体的な強度を向上させるために、上側リンクプレート１１０に比べてプレート厚みのある下側リンクプレート１２０を用いても何ら構わない。
【００２１】
また、前述した上側リンクプレート１１０、下側リンクプレート１２０、連結板１３０からなるリンク枠体を構成する材質は、特に限定されるものではないが、優れた強度特性を発揮できるガラス繊維強化ポリアミド系樹脂を用いて成形加工されている。
【００２２】
次に、本実施例の水平曲がりケーブル類保護案内装置１００が最も特徴としている下側リンクプレート１２０の水平床面Ｇ側に設けたシュー１４０について、詳しく説明する。
すなわち、図２乃至図３に示すように、水平床面Ｇを摺接移動するシュー１４０は、下側リンクプレート１２０よりも高い耐摩耗性と優れた自己潤滑性を発揮するポリアミド系樹脂により成形されている。
これにより、下側リンクプレート１２０を水平床面Ｇに直に摺接させることなくシュー１４０が水平床面Ｇを摺接するようになっている。
【００２３】
そして、前述したシュー１４０は、図３乃至図５に示すように、下側リンクプレート１２０の両側から抱持状態で組付けられている。
これにより、リンク枠体内に挿通したケーブル類をケーブル固定端とケーブル移動端との間で水平床面Ｇに沿って曲げ返して移動する際に、リンク枠体の両外側にはみ出しているシュー１４０が、リンク枠体よりも先行して水平床面Ｇ内の周辺部材に摺接するようになっている。
【００２４】
さらに、前述したシュー１４０は、下側リンクプレート１２０と連結板１３０との係合部１２１に係止されている。
これにより、シュー１４０が下側リンクプレート１２０と連結板１３０との係合部１２１を覆って保護するようになっている。
【００２５】
なお、図４に示す符号１４１は、前述した下側リンクプレート１２０の両側から抱持して係止するための横長のフック部であり、符号１４２は、前述した下側リンクプレート１２０と連結板１３０との係合部１２１に係止するための突起部であり、符号１４３は、シュー１４０の摩耗状態を把握するインジケータである。
【００２６】
このようして得られた本実施例の水平曲がりケーブル類保護案内装置１００は、下側リンクプレート１２０が下側リンクプレート１２０よりも高い耐摩耗性を呈して水平床面Ｇを摺接移動するシュー１４０を備えていることによって、下側リンクプレート１２０を水平床面Ｇに直に摺接させることなくシュー１４０が水平床面Ｇを摺接するため、図５に示すように、ケーブル類をケーブル固定端とケーブル移動端との間でケーブル長手方向かつ水平床面Ｇに沿って円滑に曲げ返して移動させるとともにシュー１４０が摩耗してもこの摩耗したシュー１４０のみの部品交換により保守メンテナンスを簡便に達成することができる。
【００２７】
そして、シュー１４０のフック部１４１が下側リンクプレート１２０の両側から抱持状態で組付けられていることにより、図５に示すように、ケーブル類をケーブル固定端とケーブル移動端との間で水平床面Ｇに沿って曲げ返して移動する際にシュー１４０がリンク枠体よりも先行して水平床面Ｇ内の周辺部材に摺接するため、リンク枠体と水平床面Ｇ内の周辺部材との接触を回避してリンク枠体の損傷を防止することができるばかりでなく、シュー１４０の突起部１４２が下側リンクプレート１２０と連結板１３０との係合部１２１に係止されていることにより、下側リンクプレート１２０と連結板１３０との係合部１２１を覆って、下側リンクプレート１２０と連結板１３０との不用意な脱落を防止したり、シュー１４０の係止機構を簡素化することができるなど、その効果は甚大である。
【符号の説明】
【００２８】
１００  ・・・水平曲がりケーブル類保護案内装置
１１０  ・・・上側リンクプレート
１２０  ・・・下側リンクプレート
１２１  ・・・係合部
１３０  ・・・連結板
１４０  ・・・シュー
１４１  ・・・フック部
１４２  ・・・突起部
１４３  ・・・インジケータ
Ｇ  ・・・水平床面
【手続補正２】
【補正対象書類名】特許請求の範囲
【補正対象項目名】全文
【補正方法】変更
【補正の内容】
【特許請求の範囲】
【請求項１】
上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結して前記リンク枠体内に挿通したケーブル類をケーブル固定端とケーブル移動端との間でケーブル長手方向かつ水平床面に沿って曲げ返して移動させる水平曲がりケーブル類保護案内装置において、
前記下側リンクプレートが、前記下側リンクプレートよりも高い耐摩耗性を呈して前記水平床面を摺接移動するシューを備えているとともに、
前記シューが、前記下側リンクプレートの両側から抱持状態で組付けられていることを特徴とする水平曲がりケーブル類保護案内装置。
【請求項２】
上下に離間配置された上側リンクプレートと下側リンクプレートとをケーブル屈曲外周側およびケーブル屈曲内周側に配置された連結板でそれぞれ架橋してなる多数のリンク枠体をケーブル長手方向にそれぞれ連結して前記リンク枠体内に挿通したケーブル類をケーブル固定端とケーブル移動端との間でケーブル長手方向かつ水平床面に沿って曲げ返して移動させる水平曲がりケーブル類保護案内装置において、
前記下側リンクプレートが、前記下側リンクプレートよりも高い耐摩耗性を呈して前記水平床面を摺接移動するシューを備えているとともに、
前記シューが、前記下側リンクプレートと連結板との係合部に係止されていることを特徴とする水平曲がりケーブル類保護案内装置。